(57)【特許請求の範囲】
【請求項１】
エアーバッグとバイブレータとを用いて使用者の少なくとも上体にマッサージを施すマッサージ機において、
マッサージ機本体と、
使用者の上体の左半身の被施療部に対応するように前記マッサージ機本体の幅方向中央部を境に左側に配置されエアーの給排気により膨張・収縮する第１のエアーバッグと、
使用者の上体の右半身の被施療部に対応するように前記マッサージ機本体の幅方向中央部を境に右側に配置されエアーの給排気により膨張・収縮する第２のエアーバッグと、
前記第１のエアーバッグに少なくとも一部が重なるように位置し、若しくは前記第１のエアーバッグの近傍に位置して前記マッサージ機本体にその幅方向中央部を境に左側に取付けられた第１のバイブレータと、
前記第２のエアーバッグに少なくとも一部が重なるように位置し、若しくは前記第２のエアーバッグの近傍に位置して前記マッサージ機本体にその幅方向中央部を境に右側に取付けられた第２のバイブレータと、
前記第１及び第２のエアーバッグの内の一方のエアーバッグが膨張状態にあるときに他方のエアーバッグが排気されて収縮状態となるように前記第１及び第２のエアーバッグに交互にエアーを給排気するエアー給排気部、及び前記第１、第２のエアーバッグの交互膨縮動作と同期して前記第１、第２のバイブレータを交互に動作させて、前記エアー給排気部による前記両エアーバッグの内の一方への給気に同期して他方の収縮状態にあるエアーバッグ側のバイブレータを動作させるとともに、膨張状態にあるエアーバッグ側のバイブレータを停止させるバイブレータ制御部を有する駆動装置と、
を具備したことを特徴とするマッサージ機。
【請求項２】
前記第１、第２のバイブレータを前記第１、第２のエアーバッグよりも前記マッサージ機本体に裏面側に寄せて夫々配置したことを特徴とする請求項１に記載のマッサージ機。
【発明の詳細な説明】
【０００１】
【発明の属する技術分野】
本発明は、エアーバッグとバイブレータとを用いてマッサージを行なうマット式又は椅子式等のマッサージ機に関する。
【０００２】
【従来の技術】
従来、マッサージ機本体にエアーバッグとバイブレータを組込んでマッサージを行なうエアーマッサージ機は知られている。このマッサージ機でバイブレータを用いてマッサージを使用者に施す場合、バイブレータには使用者の体重がより多く掛かっている方が効果的な振動マッサージを、使用者に与え易い。
【０００３】
しかし、従来において、使用者の体重をより多くバイブレータに掛ける格別な工夫は採用されていない。そして、使用者自らが意識して体重をバイブレータに掛けるようにする場合には、筋肉を緊張させてしまい、リラックスした状態での振動マッサージを受けがたくなる。そこで、こうした不具合を招かないようにして、バイブレータを用いてのマッサージ効果を改善することが求められている。
【０００４】
更に、従来においてバイブレータは通常連続駆動して振動刺激を使用者に与えている。そのため、時間の経過に従って振動刺激に使用者が慣れて、マッサージ効果があたかも次第に低減して行くかのような感触を使用者に与え易く、その改善も求められている。
【０００５】
又、既述のように振動マッサージは、それに使用者の体重がより多く掛かっていることが望ましいが、エアーバッグの膨張・収縮によるエアーマッサージにおいて、エアーバッグが膨張する状態では、使用者はマッサージ機の身体支持面から離れるように押圧されるので、それに伴いバイブレータに掛かる体重が軽くなる。そのため、バイブレータとエアーバッグとを同時期に使用することは好ましくない。こうした事情から、バイブレータとエアーバッグとが夫々の機能を効果的に発揮し得るように別々の時期に使用されるようにした場合、バイブレータとエアーバッグとを順次用いてマッサージをするコースモードでの運転においては、その運転に長い時間を要する。
【０００６】
【発明が解決しようとする課題】
本発明が解決しようとする課題は、振動マッサージ効果を向上しつつ、バイブレータとエアーバッグとを同時期に使用可能であり、体感上も好ましいマッサージ機を得ることにある。
【０００７】
【課題を解決するための手段】
前記課題を解決するために、請求項１の発明は、エアーバッグとバイブレータとを用いて使用者の少なくとも上体にマッサージを施すマッサージ機において、マッサージ機本体と、使用者の上体の左半身の被施療部に対応するように前記マッサージ機本体の幅方向中央部を境に左側に配置されエアーの給排気により膨張・収縮する第１のエアーバッグと、使用者の上体の右半身の被施療部に対応するように前記マッサージ機本体の幅方向中央部を境に右側に配置されエアーの給排気により膨張・収縮する第２のエアーバッグと、前記第１のエアーバッグに少なくとも一部が重なるように位置し、若しくは前記第１のエアーバッグの近傍に位置して前記マッサージ機本体にその幅方向中央部を境に左側に取付けられた第１のバイブレータと、前記第２のエアーバッグに少なくとも一部が重なるように位置し、若しくは前記第２のエアーバッグの近傍に位置して前記マッサージ機本体にその幅方向中央部を境に右側に取付けられた第２のバイブレータと、前記第１及び第２のエアーバッグの内の一方のエアーバッグが膨張状態にあるときに他方のエアーバッグが排気されて収縮状態となるように前記第１及び第２のエアーバッグに交互にエアーを給排気するエアー給排気部、及び前記第１、第２のエアーバッグの交互膨縮動作と同期して前記第１、第２のバイブレータを交互に動作させて、前記エアー給排気部による前記両エアーバッグの内の一方への給気に同期して他方の収縮状態にあるエアーバッグ側のバイブレータを動作させるとともに、膨張状態にあるエアーバッグ側のバイブレータを停止させるバイブレータ制御部を有する駆動装置と、を具備したことを特徴としている。
【０００８】
この請求項１の発明においては、駆動装置のエアー給排気部による第１及び第２のエアーバッグに対するエアーの交互給排気に従って、一方のエアーバッグが膨張している時には、他方のエアーバッグは収縮状態にある。そのため、マッサージ機本体に支持されている使用者の体軸を境に上体の半身が、膨張した方のエアーバッグによりマッサージ機本体から離れるように押圧されることに伴い、使用者の上体はひねられながらストレッチされる。この状態では、使用者の上体の体重が、押圧されている方の前記半身と体軸を境に反対側の半身を介してマッサージ機本体により多く掛かる。このように体重が多く掛かる部位には、収縮している方のエアーバッグおよびこれに対応してバイブレータが配置されている。そして、このバイブレータは、前記膨張するエアーバッグへの給排気と同期して駆動装置のバイブレータ制御部により動作される。そのため、使用者の体軸を境に上体の半身を膨張するエアーバッグで押圧しながら、同時期に反対側の上体の半身にバイブレータにより振動刺激を与えて、使用者の上体をマッサージできる。
【０００９】
請求項２の発明は、請求項１に記載の第１、第２のバイブレータを前記第１、第２のエアーバッグよりも前記マッサージ機本体に裏面側に寄せて夫々配置したことを特徴としている。
【００１０】
この発明においては、エアーバッグの膨張・収縮に伴ってバイブレータが動かされることがないので、バイブレータに接続された電気配線が動くことを考慮して配線処理を行なわなくて済む。
【００１１】
【発明の実施の形態】
以下、図１〜図４を参照して本発明の第１実施形態を説明する。
【００１２】
図１に示したマット式のマッサージ機１は、マッサージ機本体としてのマット部２と、このマット部２に取付けられてエアーの給排気により膨張・収縮する複数のエアーバッグ３、４ｌ、４ｒ、５ｌ、５ｒ、６ｌ、６ｒ、７〜９と、マット部２に取付けられた複数のバイブレータ１１ｌ、１１ｒ、１２ｌ、１２ｒ、１３ｌ、１３ｒと、駆動装置１４と、操作部としてのリモートコントローラ１５と具備している。
【００１３】
折り畳み可能なマット部２は、図２に示すように本実施形態では下部クッションとして用いられる厚手の発泡ウレタンフォーム製の裏部クッション２１と、この表面に張り合わされて本実施形態では上部クッションとして用いられる薄手の発泡ウレタンフォーム製の表部クッション２２と、このクッション積層体を包んだカバー２３とを備えている。表部クッション２２は裏部クッション２１よりも柔らかくクッション性がよい。カバー２３は柔軟な布などからなり、表部クッション２２を覆っている表面部分は身体支持面として用いられる。
【００１４】
各エアーバッグ３、４ｌ、４ｒ、５ｌ、５ｒ、６ｌ、６ｒ、７〜９は、いずれも表部クッション２２の表面上に配置されている。エアーバッグ３は枕用であり、これはマット部２の長手方向一端に寄せて配置されている。エアーバッグ７は尻部用、エアーバッグ８は太腿部用、エアーバッグ９は脹脛部用であり、いずれも枕用エアーバッグ３に頭部を載せてマット部２上に仰臥した使用者の前記身体各部に個別に対応する位置に、マット部２の幅方向に延びて配置されている。
【００１５】
マット部２上に仰臥した使用者の左肩部、左背中部、及び左腰部を施療するために、これら被施療部に対応するように、肩部用第１エアーバッグ４ｌ、背中部用第１エアーバッグ５ｌ、及び腰部用第１エアーバッグ６ｌが、いずれもマット部２の中心線Ｌを境に左側に寄せて配置されている。同様に、マット部２上に仰臥した使用者の右肩部、右背中部、及び右腰部を施療するために、これら被施療部に対応するように、肩部用第２エアーバッグ４ｒ、背中部用第２エアーバッグ５ｒ、及び腰部用第２エアーバッグ６ｒが、いずれもマット部２の中心線Ｌを境に右側に寄せて配置されている。
【００１６】
したがって、一対の肩部用エアーバッグ４ｌ、４ｒは、前記中心線Ｌを境に振り分けてマット部２の幅方向に左右対称に設けられている。同様に、一対の背中部用エアーバッグ５ｌ、５ｒも、前記中心線Ｌを境に振り分けてマット部２の幅方向に左右対称に設けられているとともに、一対の腰部用エアーバッグ６ｌ、６ｒも、前記中心線Ｌを境に振り分けてマット部２の幅方向に左右対称に設けられている。なお、左右のエアーバッグ４ｌ、４ｒ同志、エアーバッグ５ｌ、５ｒ同志、及びエアーバッグ６ｌ、６ｒ同志の夫々は、互いにシート状の非膨張部を介して一体的に接続されていてもよい。
【００１７】
バイブレータ１１ｌ、１１ｒは肩部用であって、その内の一方つまり肩部用第１バイブレータ１１ｌは肩部用第１エアーバッグ４ｌに対応して配置され、他方つまり肩部用第２バイブレータ１１ｒは肩部用第２エアーバッグ４ｒに対応して配置されている。バイブレータ１２ｌ、１２ｒは背中部用であって、その内の一方つまり背中用第１バイブレータ１２ｌは背中部用第１エアーバッグ５ｌに対応して配置され、他方つまり背中部用第２バイブレータ１２ｒは背中部用第２エアーバッグ５ｒに対応して配置されている。同様に、バイブレータ１３ｌ、１３ｒは腰部用であって、その内の一方つまり腰部用第１バイブレータ１３ｌは腰部用第１エアーバッグ６ｌに対応して配置され、他方つまり腰部用第２バイブレータ１３ｒは、腰部用第２エアーバッグ６ｒに対応して配置されている。
【００１８】
したがって、一対の肩部用バイブレータ１１ｌ、１１ｒは、前記中心線Ｌを境に振り分けてマット部２の幅方向に左右対称に設けられている。同様に、一対の背中部用バイブレータ１２ｌ、１２ｒも、前記中心線Ｌを境に振り分けてマット部２の幅方向に左右対称に設けられているとともに、一対の腰部用バイブレータ１３ｌ、１３ｒも、前記中心線Ｌを境に振り分けてマット部２の幅方向に左右対称に設けられている。
【００１９】
そして、図２に示した一対の肩部用エアーバッグ４ｌ、４ｒとこれらに対応する一対の肩部用バイブレータ１１ｌ、１１ｒとの関係で代表するように、バイブレータ１１ｌ、１１ｒ、１２ｌ、１２ｒ、１３ｌ、１３ｒは、対応するエアーバッグ４ｌ、４ｒ、５ｌ、５ｒ、６ｌ、６ｒの真裏に重なるように表部クッション２２を間に挟んで夫々配置されている。なお、図２中符号２１ａは、各バイブレータ１１ｌ、１１ｒ、１２ｌ、１２ｒ、１３ｌ、１３ｒを位置決めして固定的に配置するために、裏部クッション２１に設けた取付け溝を示している。
【００２０】
本実施形態では、各バイブレータ１１ｌ、１１ｒ、１２ｌ、１２ｒ、１３ｌ、１３ｒが、対応するエアーバッグ４ｌ、４ｒ、５ｌ、５ｒ、６ｌ、６ｒの投影面積内に収まるように各バイブレータ１１ｌ、１１ｒ、１２ｌ、１２ｒ、１３ｌ、１３ｒを配置したが、それには限定されない。例えば、各バイブレータ１１ｌ、１１ｒ、１２ｌ、１２ｒ、１３ｌ、１３ｒをその一部が前記投影面積からはみ出すように配置することも可能であり、或いは各バイブレータ１１ｌ、１１ｒ、１２ｌ、１２ｒ、１３ｌ、１３ｒ全体が前記投影面積から多少はずれて、対応するエアーバッグ４ｌ、４ｒ、５ｌ、５ｒ、６ｌ、６ｒの近傍に配置することも可能である。
【００２１】
図２に示したように各バイブレータ１１ｌ、１１ｒ、１２ｌ、１２ｒ、１３ｌ、１３ｒは、それらに個別に対応する各エアーバッグ４ｌ、４ｒ、５ｌ、５ｒ、６ｌ、６ｒよりもマット部２の裏面側に寄せて裏部クッション２１に固定的に配置されているから、各エアーバッグ４ｌ、４ｒ、５ｌ、５ｒ、６ｌ、６ｒの膨張・収縮に伴って各バイブレータ１１ｌ、１１ｒ、１２ｌ、１２ｒ、１３ｌ、１３ｒが動かされることがない。そのため、バイブレータ１１ｌ、１１ｒ、１２ｌ、１２ｒ、１３ｌ、１３ｒに接続された電気配線（図示しない）が動くことを考慮して配線処理を行なわなくて済むので、前記電気配線の処理が容易である。
【００２２】
なお、各バイブレータ１１ｌ、１１ｒ、１２ｌ、１２ｒ、１３ｌ、１３ｒと各エアーバッグ４ｌ、４ｒ、５ｌ、５ｒ、６ｌ、６ｒの相互関係は、本実施形態に制約されるものではない。例えば表部クッション２２に孔を設けて、この孔を通して各バイブレータとそれらに個別に対応する各エアーバッグとが接するように配置することが可能である。しかし、本実施形態は表部クッション２２に孔加工を要することがないので、コストダウンを図る点で有利である。又、各バイブレータはそれらに個別に対応する各エアーバッグに対して、マット部２の裏面側ではなく表面側に寄せて配置することもできる。この場合、各バイブレータの振動が対応する各エアーバッグで減衰されることがないので、より効果的に振動刺激を使用者の上体に波及させることができる点で優れている。これに対して．本実施形態の配置では、各エアーバッグ４ｌ、４ｒ、５ｌ、５ｒ、６ｌ、６ｒを膨張させたときに、それらに個別に対応する各バイブレータ１１ｌ、１１ｒ、１２ｌ、１２ｒ、１３ｌ、１３ｒを使用者の上体に押し付けて、硬質感を与えることがなく、使用感がよい点で優れている。
【００２３】
図１に示されるように駆動装置１４は、例えばマット部２の長手方向他端部（マット部２上に仰臥した使用者の足先側の端部）に内蔵されている。なお、駆動装置１４はマット部２の外部に設置してもよい。図３に示すように駆動装置１４は、ダイアフラム式電磁ポンプ等からなるエアー生成手段３１、この手段３１にホース３２を介して接続されたロータリー弁等からなるエアー分配器３３、ホース３２から分岐された分岐ホース３４に接続された電磁弁３５、バイブレータ制御部３６、及びこれらの各要素３１、３３、３５、３６の制御全般を担うマイクロコンピュータ等からなる制御手段３７を具備している。
【００２４】
エアー生成手段３１、ホース３２、エアー分配器３３、分岐ホース３４、及び電磁弁３５は、制御手段３７による制御に応じて、各エアーバッグ３、４ｌ、４ｒ、５ｌ、５ｒ、６ｌ、６ｒ、７〜９に対するエアーの給排気を担うエアー給排気部３８をなしている。この給排気部３８は、制御手段３７により振動併用マッサージモードが実行される時には、肩部用、背中部用、又は腰部用として使用者の上体用の各エアーバッグ４ｌ、４ｒ、５ｌ、５ｒ、６ｌ、６ｒの内、マット部２の幅方向に対をなした第１エアーバッグと第２エアーバッグに対して交互にエアーを給排気するようになっている。
【００２５】
エアー分配器３３は、各エアーバッグ４ｌ、４ｒ、５ｌ、５ｒ、６ｌ、６ｒ、７〜９の夫々に対応した通気口と、一つの排気口とを有している。前記各通気口には、それぞれ可撓性のエアーチューブ４１〜４９を介して各エアーバッグ４ｌ、４ｒ、５ｌ、５ｒ、６ｌ、６ｒ、７〜９が個別に接続されている。電磁弁３５には排気口付きのものが使用され、この電磁弁３５のポートにはエアーチューブ５０を介して枕用エアーバッグ３が接続されている。
【００２６】
バイブレータ制御部３６によって、各バイブレータ１１ｌ、１１ｒ、１２ｌ、１２ｒ、１３ｌ、１３ｒの起動（ＯＮ）及び停止（ＯＦＦ）が制御される。この制御により、制御手段３７で前記振動併用マッサージモードが実行される時には、給気される一方のエアーバッグと対をなしている他方のエアーバッグに重なるように配置されているバイブレータが、前記一方のエアーバッグへの給気に同期して動作されて、対をなしているバイブレータが交互に動作されるようになっている。
【００２７】
マット部２の外部で操作可能に設けられるリモートコントローラ１５は、信号ケーブル１５ａを介して制御手段３７に接続されている。信号ケーブル１５ａは必要に応じて駆動装置１４に挿脱できる。リモートコントローラ１５によって駆動装置１４を所望とする運転モードで運転させたり、停止させたりする指示が与えられる。前記運転モードとしては、各エアーバッグ３、４ｌ、４ｒ、５ｌ、５ｒ、６ｌ、６ｒ、７〜９の内の少なくとも２以上のエアーバッグを、予め定められた順番に従って繰り返し膨張収縮させる各種のコースマッサージモード、任意に指定される１又は２のエアーバッグを繰り返し膨張収縮させる各種のポイントマッサージモード、更には図４で代表して示す振動併用マッサージモード等の各種モードがある。
【００２８】
次に、マット部２の幅方向に左右１対設けられた肩部用の第１、第２のエアーバッグ４ｌ、４ｒとバイブレータ１１ｌ、１１ｒとを用いる振動併用マッサージモードが指定された場合の運転状況を図４を参照して説明する。
【００２９】
このモードでは、エアー給排気部３８のエアー分配器３３のエアー分配切換え動作に従って、肩部用の第１、第２のエアーバッグ４ｌ、４ｒに対して交互にエアーが給排気されるので、これらエアーバッグ４ｌ、４ｒの一方が膨張状態にあるときは、他方は排気されて収縮状態にある。更に、この振動併用マッサージモードでは、前記交互膨縮動作と同期して、エアー給排気部３８のバイブレータ制御部３６の切換え動作に従って、肩部用の第１、第２のバイブレータ１１ｌ、１１ｒが交互に動作される。この場合、収縮状態にあるエアーバッグ側のバイブレータが動作される。
【００３０】
したがって、肩部用第１エアーバッグ４ｌが膨張するのと同期して肩部用第２バイブレータ１１ｒが動作され、次に肩部用第２エアーバッグ４ｒが膨張するのと同期して肩部用第１バイブレータ１１ｌが動作されるものであり、こうした構語動作が所定回数繰り返し実行される。なお、本発明において、「同期」ないしは「同時期」とは、一対のエアーバッグの内の一方のエアーバッグの膨張時期と、他方のエアーバッグに対応して配置されたバイブレータの動作時期とが、図４に示すようにタイミング的に全く一致している場合はもちろんのこと、少なくとも一部が時間的に重なるようにタイミングが多少ずれた場合も含む。
【００３１】
既述のように肩部用第１エアーバッグ４ｌの膨張と同期して肩部用第２バイブレータ１１ｒが動作された状態は、図２（Ｂ）に示されている。この状態では、マット部２上の使用者Ｍの左肩部ＳＬが持ち上げられるので、左肩部ＳＬがその背面側から圧迫されるとともに、使用者Ｍの上体が右肩部ＳＲをマット部２に押し付けるようにひねられてストレッチされる。この時、肩部用第１エアーバッグ４ｌの裏側に重なるように対応して配置されている肩部用第１バイブレータ１１ｌは停止している。
【００３２】
前記のようにマット部２に押し付けられる使用者Ｍの右肩部ＳＲに対応する位置には、収縮状態の肩部用第２エアーバッグ４ｒの裏側に重なるように対応して肩部用第２バイブレータ１１ｒが配置されていて、このバイブレータ１１ｒは動作されている。そのため、前記上体のひねりに伴い、自然に上体の体重が第２バイブレータ１１ｒに多く掛かった状態で、このバイブレータ１１ｒの振動を右肩部ＳＲに与えることができる。
【００３３】
又、肩部用第２エアーバッグ４ｒの膨張と同期して肩部用第１バイブレータ１１ｌが動作された状態は、図２（Ｃ）に示されている。この状態では、マット部２上の使用者Ｍの右肩部ＳＲが持ち上げられるので、右肩部ＳＲがその背面側から圧迫されるとともに、使用者Ｍの上体が左肩部ＳＬをマット部２に押し付けるようにひねられてストレッチされる。この時、肩部用第２エアーバッグ４ｒの裏側に重なるように対応して配置されている肩部用第２バイブレータ１１ｒは停止している。
【００３４】
前記のようにマット部２に押し付けられる使用者Ｍの左肩部ＳＬに対応する位置には、収縮状態の肩部用第１エアーバッグ４ｌの裏側に重なるように対応して肩部用第１バイブレータ１１ｌが配置されていて、このバイブレータ１１ｌは動作されている。そのため、前記上体のひねりに伴い、自然に上体の体重が第１バイブレータ１１ｌに多く掛かった状態で、このバイブレータ１１ｌの振動を左肩部ＳＬに与えることができる。
【００３５】
なお、以上の振動併用マッサージモードでの動作は、背中部用の第１、第２のエアーバッグ５ｌ、５ｒとバイブレータ１２ｌ、１２ｒとを用いる振動併用マッサージモードが指定された場合、及び腰部用の第１、第２のエアーバッグ６ｌ、６ｒとバイブレータ１３ｌ、１３ｒとを用いる振動併用マッサージモードが指定された場合でも同様であるが、その説明については省略する。
【００３６】
以上のように行なわれる振動併用マッサージモードでは、マット部２上の使用者Ｍの上体をひねってストレッチ効果を与えながら、エアーバッグの膨張・収縮によるマッサージと同時に、ひねりに伴い体重が多く掛かる部位に対してバイブレータによる振動マッサージを与えることができる。このようにエアーマッサージと振動マッサージとを不都合なく両立させることができる。そして、このようにバイブレータによる振動マッサージ性能が損なわれるという不都合がなく、反対に振動マッサージ性能を向上させながらエアーバッグを同時に使用できるので、振動マッサージモードの運転時間を短く、或いは同モードでの動作回数を増やすことも可能である。しかも、動作されるバイブレータに体重をより多く掛けた状態で振動マッサージが行なわれるので、その効果が高いとともに、使用されるバイブレータはエアーバッグの交互膨張・収縮動作に伴い断続的に動作されるので、振動刺激に慣れることも抑制され、体感上好ましいものである。
【００３７】
図５は本発明の第２実施形態を示している。この実施形態は基本的には第１実施形態と同様な構成であるので、同様構成部分には第１実施形態と同じ符号を付して、その構成および作用の説明を省略し、以下異なる部分について説明する。第２実施形態は椅子式マッサージ機５１に適用した点が第１実施形態とは異なる。
【００３８】
したがって、この第２実施形態では、マッサージ機本体５２は、脚を兼ねる肘掛部５３を有する座部５４と、この後側に配置された背もたれ部５５とを備えて形成されている。そして、座部５４に尻部用エアーバッグ７と太腿部用エアーバッグ８とが夫々取付けられている。なお、第１実施形態で使用した脹脛用のエアーバッグは省略されている。又、背もたれ部５４に、肩部用の第１、第２のエアーバッグ４ｌ、４ｒ、及びこれらに個別に対応する肩部用の第１、第２のバイブレータ１１ｌ、１１ｒと、背中部用の第１、第２のエアーバッグ５ｌ、５ｒ、及びこれらに個別に対応する背中部用の第１、第２のバイブレータ１２ｌ、１２ｒと、腰部用の第１、第２のエアーバッグ６ｌ、６ｒ、及びこれらに個別に対応する腰部用の第１、第２のバイブレータ１３ｌ、１３ｒとが、夫々左右対称に取付けられている。なお、第１実施形態で使用した枕用エアーバッグは省略されている。駆動装置１４は肘掛部５３の下端部間に渡って設けた座部底板５４ａ上に取付けられている。この駆動装置１４は、既述のように脹脛用のエアーバッグ及び枕用エアーバッグの省略に伴い、それらに対する給排気の構成は省略されているものである。なお、以上説明した点以外の構成は、図５に示されない構成を含めて前記第１実施形態と同様である。
【００３９】
この第２実施形態の構成においても、肩部用の第１、第２のエアーバッグ４ｌ、４ｒ、及び第１、第２のバイブレータ１１ｌ、１１ｒ、又は、背中部用の第１、第２のエアーバッグ５ｌ、５ｒ、及び第１、第２のバイブレータ１２ｌ、１２ｒ、或いは腰部用の第１、第２のエアーバッグ６ｌ、６ｒ、及び第１、第２のバイブレータ１３ｌ、１３ｒのいずれかを指定して、駆動装置１４により振動併用マッサージモードを実行できる。それにより、第１実施形態と同様の作用を得て、本発明の課題を解決できる。
【００４０】
【発明の効果】
本発明は、以上説明したような形態で実施され、以下に記載されるような効果を奏する。
【００４１】
請求項１に記載の発明によれば、交互に膨張するエアーバッグで使用者の体軸を境に上体の半身を押圧するに伴い、使用者の上体をひねってストレッチ効果を与えながら、エアーバッグの膨張・収縮によるエアーマッサージをするとともに、これと同期して前記ひねりに伴い体重が多く掛かる部位に位置する方のバイブレータを動作させて、エアーバッグで押圧されている方の上体半身とは体軸を境に反対側の上体半身を振動マッサージするので、振動マッサージ効果を向上しつつ、バイブレータとエアーバッグとを同時期に使用可能であるとともに、振動マッサージに慣れることも抑制でき体感的に好ましいマッサージ機を提供できる。
【００４２】
請求項２に記載の発明によれば、バイブレータに接続された電気配線の処理が容易なマッサージ機を提供できる。
【図面の簡単な説明】
【図１】本発明の第１実施形態に係るマット式マッサージ機を示す斜視図。
【図２】（Ａ）から（Ｃ）は図１のＺ−Ｚ線に沿って示す夫々異なる状態の断面図。
【図３】図１のマッサージ機の駆動装置を各種エアーバッグ及び各種バイブレータとともに示すブロック図。
【図４】図１のマッサージ機の駆動装置によって実行される振動併用マッサージモードでの肩部用のエアーバッグとバイブレータとの動作タイミングを示すタイムチャート。
【図５】本発明の第２実施形態に係る椅子式マッサージ機を示す斜視図。
【符号の説明】
１…マット式マッサージ機
２…マット部（マッサージ機本体）
４ｌ…肩部用第１エアーバッグ
４ｒ…肩部用第２エアーバッグ
５ｌ…背中部用第１エアーバッグ
５ｒ…背中部用第２エアーバッグ
６ｌ…腰部用第１エアーバッグ
６ｒ…腰部用第２エアーバッグ
１１ｌ…肩部用第１バイブレータ
１１ｒ…肩部用第２バイブレータ
１２ｌ…背中部用第１バイブレータ
１２ｒ…背中部用第２バイブレータ
１３ｌ…腰部用第１バイブレータ
１３ｒ…腰部用第２バイブレータ
１４…駆動装置
３６…バイブレータ制御部
３８…エアー給排気部
Ｌ…中心線
５１…椅子式マッサージ機
５２…椅子本体（マッサージ機）
【図１】
0003903077.tif 000002
【図２】
0003903077.tif 000003
【図３】
0003903077.tif 000004
【図４】
0003903077.tif 000005
【図５】
0003903077.tif 000006